(57)【要約】      （修正有）【課題】キートップ裏側にスタビライザーを簡易に組み込めるキートップ組立構造を提供する。【解決手段】キートップ組立構造は、ワイアー素材から成り一部を直線状の梁部とし、梁部の両端からそれぞれ折り曲げられた一対の脚部と、脚部の先端それぞれが曲げられ、一直線上に並ぶように形成された一対の軸部とから成り、梁部、脚部及び、軸部が一平面に平行な形状となるスタビライザー４を備える。さらに、キートップ２の収納凹部１ｄの底面にスタビライザー４の回転軸を軸受けするため、互いに離間して形成された一対の軸受部１ｋ１、１ｋ２と、軸部が軸受部に嵌合された自然状態で、底面から梁部が浮き上がった状態と成るように梁部と当接する底面から凸状に形成された凸部１ｊとを設ける。また、裏面にスタビライザーの軸部を嵌合させ、梁部を凸部に載置させ、凹部内に押圧載置させたときに弾性変形の後、梁部を挟み込んで軸受けする梁部軸受部を有するキートップと、を具備する。【選択図】図２
0003181645.tif 000002
【実用新案登録請求の範囲】
【請求項１】
ワイアー素材から成り、該ワイアー素材の一部を直線状の梁部とし、該梁部の両端からそれぞれ折り曲げられた一対の脚部と、該一対の脚部の先端それぞれが曲げられ、一直線上に並ぶように形成された一対の軸部とから成り、該梁部、該一対の脚部及び、該一対の軸部が一平面内に収まる形状となるスタビライザー部材と、
上記キートップが収納されるキートップ収納凹部を有する外装部材としての筐体と、
上記凹部の底面に上記スタビライザーの上記回転軸を軸受けするため、互いに離間して形成された一対の軸受部と、
上記一対の軸部が上記一対の軸受部に嵌合された自然状態で、上記底面から上記梁部が浮き上がった状態と成るように上記梁部と当接する上記底面から凸状に形成された凸部と、
上記凹部内に組立て載置されるキートップであって、該キートップ裏面に、上記梁部を回転可能に軸受けするため形成され、上記スタビライザーの上記軸部を上記軸受に嵌合させ、上記梁部を上記凸部に載置させておき該キートップを上記凹部内に押圧載置させたときに弾性変形の後、上記梁部を挟み込んで軸受けする梁部軸受部を有するキートップと、
を具備したことを特徴とするキートップ組立構造。
【請求項２】
上記凹部には、上記スタビライザーが上記軸受から脱落することを防止し、上記スタビライザーが上記軸受周りに所定の角度内に回動規制する回動規制部を有することを特徴とする上記請求項１記載のキートップ組立構造。
【請求項３】
上記機器は、タクトスイッチを有し、該タクトスイッチのスイッチ可動部に嵌合する軸部を上記キートップに設けられていることを特徴とする上記請求項１記載のキートップ組立構造。
【考案の詳細な説明】
【技術分野】
【０００１】
この考案は、電子機器に用いられる入力装置のキートップをスイッチに取り付けるための構造に関するもので、特にスタビライザーを用いたキートップの取付構造に関するものである。
【背景技術】
【０００２】
各種の入力装置において、スイッチとこれに釦を備えた装置により入力信号を電子機器に与える場合、スイッチにこのスイッチより大きな釦であるキートップを用いている。これによれば、入力操作に際し、操作者の入力動作を確実にこれら入力機器に伝えることができる。例えば特開平１０−９２２６１にはスイッチの構成であるカップ部に比較し大きなキートップとスタビライザーとしてのアームバーを用いてカップ部を押圧している。
【先行技術文献】
【特許文献】
【０００３】
【特許文献１】特開平１０−９２２６１
【考案の概要】
【考案が解決しようとする課題】
【０００４】
上記特開平１０−９２２６１で開示されているキートップの取付構造はコンピュータに用いられるキーボードを開示し、キートップがスイッチを覆う構造となっている。一般的にキートップを介して押圧されるスイッチは比較的小さなものが多く、しかも筐体の内部にそのスイッチが設けられている。そして、キートップがスイッチを覆うように被せられている。更にキートップとスイッチの間には、スイッチ動作を行う際にキートップが傾かないように平行に移動するためのスタビライザーが用いられている。しかし、上記特開平１０−９２２６１には、アームバー（スタビライザー）をキートップに取付けるための構造であるキートップの裏側にあるクランプ部と抜け止め部が示されてはいるが、アームバーをここに圧入するための実際的な技術手段は示されていない。つまり特開平１０−９２２６１に示される、アームバーをクランプ部と抜け止め部に固定するためには、アームバーに対しクランプ部と抜け止め部を押しつけることが予想できるが、アームバーはキートップ取付板上に寝た状態となり、これにクランプ部と抜け止め部を装着することは実際上、開示された内容だけでは不可能である。
【０００５】
このようにキートップにスタビライザーを組み付けるには目視できないキートップの裏側にスタビライザーを組み立てなければならず、難しさを伴い、安易な構造では外れてしまうことになる。従ってこの組立には、組立が確実で容易な構造を用いなくてはならない。
【課題を解決するための手段】
【０００６】
本考案のキートップ組立構造は、ワイアー素材から成り、該ワイアー素材の一部を直線状の梁部とし、該梁部の両端からそれぞれ折り曲げられた一対の脚部と、該一対の脚部の先端それぞれが曲げられ、一直線上に並ぶように形成された一対の軸部とから成り、該梁部、該一対の脚部及び、該一対の軸部が一平面内に収まる形状となるスタビライザー部材と、上記キートップが収納されるキートップ収納凹部を有する筐体と、上記凹部の底面に上記スタビライザーの上記回転軸を軸受けするため、互いに離間して形成された一対の軸受部と、上記一対の軸部が上記一対の軸受部に嵌合された自然状態で、上記底面から上記梁部が浮き上がった状態と成るように上記梁部と当接する上記底面から凸状に形成された凸部と、上記凹部内に組立て載置されるキートップであって、該キートップ裏面に、上記梁部を回転可能に軸受けするため形成され、上記スタビライザーの上記軸部を上記軸受に嵌合させ、上記梁部を上記凸部に載置させておき該キートップを上記凹部内に押圧載置させたときに弾性変形の後、上記梁部を挟み込んで軸受けする梁部軸受部を有するキートップと、を具備する。
【考案の効果】
【０００７】
本考案によれば、キートップを収納する凹部内部に組立用の突部を形成し、キートップをスイッチに取付ける際にはこの突部にスタビライザーを押しつけ、更にキートップに設けたスタビライザー保持部にスタビライザーが係合するようにしたので組立てが容易で、構造も簡単であるキートップ組立構造を提供することができる。
【図面の簡単な説明】
【０００８】
【図１】本考案の入力装置であるハンドコントローラの外観斜視図である。
【図２】図１の一部分を拡大し分解した分解斜視図である。
【図３】図１で用いられるキートップを裏面から見たキートップ裏面外観斜視図である。
【図４】図１の本考案のハンドコントローラにキートップが組み付けられる前の筐体の状態を示し、組立を説明するための外観斜視図であり、図４（ａ）はスタビライザーを筐体１ａに組み付ける初期状態の斜視図であり、図４（ｂ）はスタビライザーを筐体１ａに組み付ける途中の状態を示す斜視図であり、図４（ｃ）はスタビライザーが筐体１ａに組み付け完了された状態を示す斜視図である。
【図５】キートップを筐体１ａに収納組立てるときにスタビライザーとキートップとの係合を説明するための図であり、図５（ａ）はその係合直前の状態を示し、スタビライザーの梁部が撓む状態を示し、図５（ｂ）はスタビライザーとキートップとの係合が完了したときのスタビライザーの梁部の状態を示す。
【図６】本考案の入力装置であるキートップが押される前のハンドコントローラの断面図であり、図１における線分ＡＡで断面される断面図を示す。
【図７】図６で示す線分ＢＢで断面される断面図である。
【図８】本考案の入力装置であるキートップが押された状態のハンドコントローラの断面図であり、図１における線分ＡＡで断面される断面図を示す。
【図９】図８で示す線分ＣＣで断面される断面図である。
【考案を実施するための形態】
【０００９】
以下、図面を基にキートップ組立構造である本実施形態を説明する。
【００１０】
なお、以下の説明に用いる各図においては、各構成要素を図面上で認識可能な程度の大きさとするため、各構成要素毎に縮尺を異ならせてあるものであり、本考案は、これらの図に記載された構成要素の数量、構成要素の形状、構成要素の大きさの比率、及び各構成要素の相対的な位置関係のみに限定されるものではない。
【００１１】
本考案の実施形態は、信号を出力して電子機器であるＩＣレコーダを制御するハンドコントローラ（所謂、リモートコントローラ）を例に説明する。
【００１２】
図１は機器本体であるこのハンドコントローラ１の外観斜視図であり、キートップ２，５，６により動作するスイッチ８を内部の３か所に持ち、ＩＣレコーダ内の音声ファイルを制御するため、それらスイッチ８からの出力を出力し、これに接続されるＩＣレコーダと電気的に接続するためのジャック１ｃと、パーソナルコンピュータ（以下、ＰＣという）と接続し、ＰＣ内の音声ファイルを操作するためのＵＳＢコネクタ１ｂとを有する。
【００１３】
なお、キートップ２は音声ファイルの再生を停止、開始するための押釦であり、キートップ５は音声の巻き戻し（逆戻り）のための押釦であり、キートップ６は音声の早送り（順送り）のための押釦である。
【００１４】
なお、以下に本考案を説明するにあたり、３か所のキートップと３か所のスイッチ８はお互いに同じ構造を有するので、ハンドコントローラ１の中央に位置するキートップ２とスイッチ８に関して説明する。
【００１５】
図２はハンドコントローラ１を分解した斜視図であって、主にキートップ２に関連して説明するものである。
【００１６】
ハンドコントローラ１は外観部材である筐体１ａ（本体ケース）を有し、この筐体１ａには、外観側に平面図視野（図１の矢印Ｘ）上で底部（底面）が台形状の凹であるキートップ収納凹部１ｄを有している。キートップ収納凹部１ｄにはキートップ２と釦ばね３とスタビライザー４（スタビライザー部材）が配置される。
【００１７】
スタビライザー４は、ワイアー素材から成り、該ワイアー素材の一部をキートップの横幅よりやや小さい寸法長さの直線状の梁部４ａとし、該梁部の両端からそれぞれ折り曲げられた一対の脚部４ｂ（腕部）（図４ｂ参照）と、該一対の脚部の先端それぞれが曲げられ、一直線上に並ぶように形成された一対の軸部４ｃ（図４ｃ参照）とから成り、該梁部４ａ、該一対の脚部４ｂ及び、該一対の軸部４ｃが一平面内に収まる形状となっている。そしてスタビライザー４はキートップ収納凹部１ｄ内に収まる大きさとなっている。
【００１８】
キートップ収納凹部１ｄの底部１ｄ１には四角形の開口１ｅを有している。開口１ｅの近傍には、開口１ｅを挟んでキートップ２を移動案内する一対のガイド軸１ｆが設けられ、ガイド軸１ｆによりキートップ２が開口１ｅに対し垂直方向に往復移動可能に支持される。
【００１９】
一対のガイド軸１ｆの中心にはキートップの軸と嵌合する孔を有し、キートップ２をスイッチ８の作動方向に移動可能に支持する。
【００２０】
一対のガイド軸１ｆの外周にはそれぞれコイルバネである釦ばね３が嵌合し、釦ばね３の一端面はキートップ収納凹部１ｄの底部１ｄ１に当接し、他端はキートップ２の裏面に当接し、キートップ２を外観側に付勢している。
【００２１】
キートップ収納凹部１ｄの底部１ｄ１には後述するスタビライザーの軸部４ｃを軸受けする長孔１ｋ１'、１ｋ２'を有する一対の軸受部１ｋ１、１ｋ２が、一対のガイド軸１ｆの近傍で開口１ｅを挟んで突出している。一対の長孔１ｋ１'、１ｋ２'は底部の平面と平行な方向に伸びた長穴で、スタビライザーの軸部が円滑に回転可能、且つ、長孔１ｋ１'、１ｋ２'の幅寸法はスタビライザーの軸部４ｃが長穴の長手方向に円滑にすべり可能となる寸法幅である。
【００２２】
上記底部１ｄ１の一つの軸受部近傍には、スタビライザーの脚部４ｂと係合し、スタビライザー４を所定の角度だけ揺動可能に規制する揺動規制フック１ｉが設けられている。スタビライザーの回転を所定の角度内に規制する回転規制部としての揺動規制フック１ｉは、スタビライザー４の線径よりやや大きい寸法で互いに離間し、底部から外観側に垂直に延びる可撓性の一対の梁部とそのそれぞれの先端に設けられた互いに向き合う一対の鉤部を有している。
【００２３】
開口１ｅの一辺近傍で一対の軸受部１ｋに挟まれた位置には、底部１ｄ１から外観側に垂直に伸びる可撓性の梁部とその先端に設けられた鉤部を有した第１の係止フック１ｇが設けられている。さらに一対のガイド軸１ｆそれぞれの近傍には開口１ｅを挟むように底部１ｄ１から外観側に垂直に伸びる可撓性の梁部とその先端に設けられた鉤部を有した一対の第２の係止フック１ｈが配置されている。
【００２４】
さらに底部１ｄ１には、一対の第２の係止フック１ｈの間に位置し、第１の係止フック１ｇと対向して開口１ｅを挟むように開口１ｅの一辺近傍から垂直方向に外観側に垂直に伸びた突部である組立用突部（凸部）１ｊが設けられている。
【００２５】
筐体１ａの内側には、キートップの並びと平行に電気基板７（スイッチ基板）が取り付けられている。
【００２６】
電気基板には、ＵＳＢコネクタ１ｂ、ジャック１ｃ及びスイッチ８が実装されている。
【００２７】
スイッチ８は、タクトスイッチと言われるもので略直方体形状を有し、主にスイッチ本体８ａとこれに対しスイッチ可動部である可動の可動釦部８ｂが外観となる形状を有している。可動釦部８ｂは、電気基板７に垂直な方向に、スイッチ８本体に対し相対的に可動となっていて可動釦部８ｂの被押圧面には一対の長穴８ｃが形成されている。
【００２８】
キートップ２は、操作者により押圧される台形状の被押圧面である外観面と、その裏面に台形状の凹面を有し、この凹面表面から突出して延びる、ガイド軸１ｆに嵌合する細長い円柱状の一対の釦軸２ａと、スイッチ８の可動釦部８ｂと共に押圧方向に移動するため、裏面より突出して伸びて一対の板状に形成された、可動釦部８ｂの一対の長穴８ｃと嵌合する一対の釦嵌合軸２ｂと、スイッチ８の可動釦部８ｂを押圧するため一対の釦嵌合軸２ｂとの間にリブ状に設けられ、釦嵌合軸２ｂの長さ方向に長さが短い押圧部２ｇと、キートップ２がキートップ収納凹部１ｄに収納されたときにここから外れないように係止するため、裏面より突出して伸びて互いに離間してキートップの外観平面の長手方向の直線（台形形状の底辺、短辺）に沿った位置に配置された一対の保持フック２ｃを有する。保持フック２ｃそれぞれはキートップ２の裏面から伸びた可撓性の梁部とその先端には鉤部を形成している。
【００２９】
さらにキートップ２の裏面にはスタビライザー４の梁部４ａと係合するため、キートップ２の裏面から突出して伸びた可撓性の梁部２ｅ１とその先端に設けられた鉤部２ｅ２からなる互いに離間してキートップの外観平面の長手方向の直線、すなわち裏面の台形状凹の内側の長辺（台形の底辺）に沿って、且つ稜線に沿った位置に配置された一対のスタビライザーフック２ｅが設けられている。スタビライザーフック２ｅの梁部２ｅ１それぞれにはスタビライザー４の梁部４ａと係合したときに、梁部４ａと当接するフック当接面２ｅ３を有している。
【００３０】
一対のフック当接面２ｅ３と共にスタビライザーの梁部４ａを挟むためキートップの裏面に設けられ、フック当接面２ｅ３と平行でこれと対向するように互いに離間してキートップの外観平面の長手方向の直線に沿って、且つ稜線に沿った位置に互いに離間して配置された一対の対向当接面２ｄを有する。
【００３１】
フック当接面２ｅ３と対向当接面２ｄとの間隔であるスタビライザー４の梁部４ａを挟む距離寸法ｇ（図７参照）は梁部４ａがその軸線周りに円滑に回転可能な寸法となっている。
【００３２】
さらに、キートップ２の裏面内の台形状凹の長辺（底辺）と対向する短辺の周壁面にはキートップ変位方向と垂直な方向に凹部２ｆが設けられている。この凹部２ｆはキートップ２が変位する方向に対し直角な方向に沿った周壁面２ｆ１を有する。
【００３３】
次にハンドコントローラの組立てを説明する。
【００３４】
始めに、スタビライザー４を筐体１ａに組み込む。スタビライザー４の一対の軸部４ｃを一対の軸受部１ｋ１、１ｋ２に嵌め込む。その際、一対の軸部４ｃそれぞれの先端の間の間隔距離（Ｌ１：図４（ｃ）参照）は、一対の軸受部１ｋ１、１ｋ２を挟む距離寸法（Ｌ２：図４（ｃ）参照）より小さい寸法となっているので、揺動規制フック１ｉに近い一方の軸受部１ｋ１に軸部４ｃの一方を嵌めた後、一対の軸部４ｃを結ぶ軸線を一対の軸受部１ｋ１、１ｋ２を結ぶ軸線に対し、底部平面に平行な方向にしたまま傾け、スタビライザー４を軸部の軸方向にスライドさせ軸部４ｃの他方を軸受部１ｋ２に嵌合させる（図４（a）参照）。また、この組み付け方法に替えて、スタビライザー４の梁部を撓ませて軸部を軸受部に組み付けてもよい。この状態ではスタビライザー４が底部から起き上がった状態、すなわち揺動規制フック１ｉ先端とキートップ収納凹部１ｄの台形の外観短辺稜線との間の角度を不要に揺動回動する状態となる。
【００３５】
その後、スタビライザーが不要な揺動範囲に揺動することを防止し、所定の角度内で揺動させるために、スタビライザーの腕部４ｂを揺動制限する揺動規制フック１ｉに係合させる。そのため、スタビライザー４揺動規制フック１ｉの鉤部先端に当接させるようにスタビライザーを揺動させる（図４（ｂ）参照）。次にスタビライザーの腕部を揺動規制フック１ｉの一対の鉤部の間に押し込み揺動規制フック１ｉの一対の梁部を撓ませる。こうして最後に一対の揺動規制フック１ｉの梁部の間にスタビライザー４が押し込まれる。これによって、スタビライザー４は一対の揺動規制フック１ｉの梁部の間で必要な揺動回転が可能になり、キートップ４がキートップ収納凹部１ｄ内に収納し易くなる。（図４（ｃ）参照）
次に、二つの釦ばね３それぞれをガイド軸１ｆそれぞれに一つずつ嵌合させる。その後に、キートップ２を外観側よりキートップ収納凹部１ｄ内に収納させる。このときに、キートップ２の釦軸２ａを、釦ばね３の中心を通してガイド軸１ｆに嵌合させる。そうすると筐体１ａの第１の係止フック１ｇの梁部が撓み、梁部先端の鉤部がキートップの係合凹２ｆの周壁面２ｆ１に係合し、筐体１ａの第２の係止フック１ｈの梁部が撓み、梁部先端の鉤部がキートップの保持フック２ｃの鉤部に係合する。これら係合によりキートップはキートップ収納凹部１ｄ内に収納され、釦ばね３の付勢力に抗してキートップ収納凹部１ｄから外れることは無い。これと同時に図５（ａ）に示すようにキートップ２のスタビライザーフック２ｅの先端にある鉤部２ｅ２が図中矢印Ｂの方向にスタビライザーの梁部４ａ両端を押圧するので、スタビライザー４の梁部４ａ中央と筐体１ａの組立用突部１ｊとが当接し、梁部両端が図中矢印Ｃの方向に撓み、最後にはスタビライザーフック２ｅの梁部２ｅ１が、スタビライザー４を押す反力により撓み、スタビライザーの梁部４ａ両端が鉤部２ｅ２を乗り越え、スタビライザー４の梁部４ａとスタビライザーフック２ｅの梁部２ｅ１が直線状に戻り（図５（ｂ）参照）、スタビライザー４の梁部４ａがスタビライザーフック２ｅの当接面２ｅ３と当接する。これと同時にスタビライザー４の梁部４ａはスタビライザーフック２ｅの当接面２ｅ３とキートップに設けられた当接面２ｄとの間に位置する。
【００３６】
そして、キートップ５，６も同様に筐体１ａに組み付けられ、その後にスイッチ８、ＵＳＢコネクタ１ｂ、ジャック１ｃが実装された電気基板７を筐体１ａ内に筐体下面より組み付ける。筐体１ａにはＵＳＢコネクタ１ｂ、ジャック１ｃの接続口を外部に露出させるための開口が設けられていて、電気基板７を筐体１ａ内に組み付けるとき、ＵＳＢコネクタ１ｂの接続口、ジャック１ｃの接続口それぞれを筐体１ａのそれらのための開口に挿入してからスイッチ８の可動釦部８ｂの一対の長穴８ｃにキートップ２の釦嵌合軸２ｂが嵌合して電気基板が組み込まれる。他のキートップ６，７も同様に組立てられる。その後、  電気基板７をねじ等の手段により筐体１ａ内に固定する。
【００３７】
そして最後に筐体１ａの下面を覆うように下カバー９を、ねじ等を用いて組み付けてハンドコントローラ１の組立が完了する。
【００３８】
次に、本考案の構造から生ずるキートップの動作の係わる動作、作用を説明する。
【００３９】
図６はこれらキートップの組立を含み全組立が完了した製品としてのハンドコントローラを図１中の線分ＡＡで断面としたときの図面であり、キートップが押圧されていない状態である。また図６中の線分ＢＢにて断面とした断面図を図７において示す。この状態では釦ばね３はキートップ２を図中上方へ付勢しているが、キートップ２の保持フック２ｃが筐体１ａの第２の係止フック１ｈと係合し、キートップ２の係合凹２ｆと筐体１ａの第１の係止フック１ｇと係合している（図７参照）ので、キートップ２は筐体１ａより抜けて外れることは無い。また、このときキートップ２の釦嵌合軸２ｂはスイッチ８の可動釦部８ｂの長穴８ｃに嵌合しているが、可動釦部８ｂをスイッチ８本体に対し僅かに変位させたままで大きく移動させるようなことは無い。また、スタビライザー４の梁部４ａがキートップ２のフック当接面２ｅ３と対向当接面２ｄとで係合保持されているので、スタビライザー４の梁部４ａは底部から浮き上がった状態であり、底部である底面１ｄ１に対しスタビライザー４の脚部４ｂは傾斜して浮き上がった状態となっている。当然、スタビライザー４の梁部４ａは筐体１ａの組立用突部１ｊからも離間している。このときキートップ２の押圧部２ｇはスイッチ８の可動釦部８ｂを僅かに押圧しているがスイッチ８の状態は変化していない。つまりキートップが組み付けられていない状態のスイッチ８の出力とキートップが組み付けられた自然状態でのスイッチ８の出力とは同じである。
【００４０】
図６，図７の自然状態、すなわちキートップ２に対する非押圧状態から、図8，図９に示すキートップ２の被押圧動作、作用を説明する。
【００４１】
図８で示す状態は、図６で示す状態から操作者によってキートップ２が押圧されたハンドコントローラの図６と同じ位置での断面状態を示す。図９も図７と同じ位置での断面図である。
【００４２】
キートップ２が釦ばね３の付勢力に抗して押圧されると釦ばね３が圧縮され、キートップ２の保持フック２ｃの鉤部と筐体１ａの第２の係止フック１ｈの鉤部との係合の当接が一時的に外れる、言い換えればキートップ２の保持フック２ｃの鉤部と筐体１ａの第２の係止フック１ｈの鉤部とが離間する（図８参照）。またキートップ２の係合凹２ｆの内周壁面２ｆ１と筐体１ａの第１の係止フック１ｇの鉤部との係合の当接が一時的に外れる、言い換えればキートップ２の係合凹２ｆの内周壁面と筐体１ａの第１の係止フック１ｇの鉤部とが離間する（図９参照）。押圧動作によるキートップ２の変位が続き、キートップ２の押圧部２ｇが可動釦部８ｂをさらに押圧すると、キートップ２の変位途中でスイッチ８の出力を変化させる。この出力の状態変化を維持したまま、キートップ２はストローク終端に到達する。この終端では、キートップ２の外観周囲下端面２ｈとキートップ収納凹部１ｄの底面１ｄ１とが当接する。このときスタビライザー２の梁部４ａは、筐体１ａの組立用突部１ｊから僅かに浮いて離れた位置に位置する。
【００４３】
また、本考案のキートップ組立構造を用いても従来の通り、キートップの稜線及びその近傍に対してガイド軸１ｆから距離を持って掛けられる偏った押圧力に対しても、筐体１ａに対しキートップが円滑に摺動することができる。
【００４４】
以上のように、本考案によれば、キートップ２に覆われてしまうスタビライザー４を簡単な構成によりキートップと容易に係合させてしまうことができるキートップ組立構造を提供できる。
【産業上の利用可能性】
【００４５】
本考案はキートップを有するスイッチ装置であれば、例えば、パーソナルコンピュータのキーボード、電気機器のスイッチ装置、家庭電化製品、事務用品、娯楽用品、医療用機器等の広範な分野の装置に利用することができる。
【符号の説明】
【００４６】
１・・・機器本体
１ａ・・・筐体（本体ケース）
１ｂ・・・ＵＳＢコネクタ
１ｃ・・・ジャック
１ｄ・・・キートップ収納凹部
１ｄ１・・・底部（底面）
１ｅ・・・開口
１ｆ・・・ガイド軸
１ｇ・・・第１の係止フック
１ｈ・・・第２の係止フック
１ｉ・・・揺動規制フック
１ｊ・・・組立用突部（突部）
１ｋ１、１ｋ２・・・軸受部
１ｋ１'、１ｋ２'・・・長孔
２・・・キートップ（押釦）
２ａ・・・釦軸
２ｂ・・・釦嵌合軸
２ｃ・・・保持フック
２ｄ・・・対向当接面
２ｅ・・・スタビライザーフック
２ｅ１・・・スタビライザーフック梁部（梁部）
２ｅ２・・・鉤部
２ｅ３・・・フック当接面
２ｆ・・・係合凹
２ｇ・・・押圧部
２ｈ・・・下端面
３・・・釦ばね
４・・・スタビライザー
４ａ・・スタビライザー梁部（梁部）
４ｂ・・・スタビライザー揺動腕部（腕部、脚部）
４ｃ・・・スタビライザー軸部（軸部）
５・・・キートップ
６・・・キートップ
７・・・スイッチ基板（電気基板）
８・・・スイッチ
８ａ・・・スイッチ本体
８ｂ・・・可動釦部
８ｃ・・・長穴
９・・・下カバー
【図１】
0003181645.tif 000003
【図２】
0003181645.tif 000004
【図３】
0003181645.tif 000005
【図４】
0003181645.tif 000006
【図５】
0003181645.tif 000007
【図６】
0003181645.tif 000008
【図７】
0003181645.tif 000009
【図８】
0003181645.tif 000010
【図９】
0003181645.tif 000011